(57)【特許請求の範囲】
【請求項１】
光ファイバーアダプタであって、
第１の壁、第２の壁、第３の壁および第４の壁によって画定される収容室を有する本体であって、前記第１の壁は前記第３の壁に面し、前記第２および第４の壁と接続しており、前記収容室は、第２の開口部と向かい合う第１の開口部を有しており、前記第１の壁上にアクセス用開口部が形成される、本体と、
前記収容室内に配置される二つの内部筐体と、
前記第１の壁上の前記アクセス用開口部を覆うために配置されるカバープレートと、
弾性のシャッター部材であって、前記シャッター部材は、前記カバープレート上、前記収容室内に配置される固定部と、前記固定部を前記カバープレート上に固定するために前記固定部に備えられる、少なくとも一つの第１のフックと、シャッタープレートと、前記固定部を前記シャッタープレートに接続する接続部と、を含み、前記シャッタープレートは前記接続部から前記収容室内へと延在する、シャッター部材と、
前記収容室内に配置された補助弾性板であって、前記カバープレート上に配置された固定部と、前記補助弾性板の前記固定部を前記カバープレート上に固定するために、前記補助弾性板の前記固定部の二つの対辺に備えられた二つの第２のフックと、を含む補助弾性板と、
前記補助弾性板の前記固定部と接続された支持部であって、前記支持部は前記シャッタープレートを前記弾性シャッタープレートの元の位置に向かって押すために構成される、支持部と、
を含む、光ファイバーアダプタ。
【請求項２】
前記カバープレート上に少なくとも一つの第１の突出部が形成され、前記固定部を前記カバープレート上に固定するために、前記第１のフックが前記第１の突出部と接触する、請求項１に記載の光ファイバーアダプタ。
【請求項３】
前記第１の突出部は第１の垂直部と第１の水平部とを有し、前記第１の垂直部は前記カバープレートから延在し、前記第１の水平部は前記第１の垂直部から延在し、前記第１のフックは前記第１の水平部と接触する、請求項２に記載の光ファイバーアダプタ。
【請求項４】
前記弾性シャッター部材は二つの第１のフックを有し、二つの第１の突出部が前記カバープレート上に形成され、前記第１のフックは前記固定部の二つの対辺にそれぞれ備えられる、請求項３に記載の光ファイバーアダプタ。
【請求項５】
前記アダプタは、前記第２の壁上および第４の壁上にそれぞれ形成され、かつ前記第１の開口部と隣接する二つの突出部をさらに含み、前記シャッタープレートは前記二つの突出部と接触する、請求項１に記載の光ファイバーアダプタ。
【請求項６】
前記カバープレート上に二つの第２の突出部が形成され、前記補助弾性板の前記固定部を前記カバープレート上に固定するために、前記第２のフックは前記第２の突出部とそれぞれ接触する、請求項１に記載の光ファイバーアダプタ。
【請求項７】
それぞれの前記第２の突出部は第２の垂直部と第２の水平部とを有し、前記第２の垂直部は前記カバープレートから延在し、前記第２の水平部は前記第２の垂直部から延在し、前記第２のフック前記第２の水平部と接触する、請求項６に記載の光ファイバーアダプタ。
【請求項８】
前記カバープレート上に二つの第２の突出部が形成され、それぞれの前記第２の突出部は第２の垂直部と第２の水平部とを有し、前記第２の垂直部は前記カバープレートから延在し、前記第２の水平部は前記第２の垂直部から延在し、前記第２の水平部と前記カバープレートとの間に間隙が形成され、前記補助弾性板の前記固定部は前記間隙内に配置される、請求項１に記載の光ファイバーアダプタ。
【請求項９】
前記接続部はＣ字形状を有する、請求項１に記載の光ファイバーアダプタ。
【請求項１０】
前記シャッタープレートは板状形状を有する、請求項１に記載の光ファイバーアダプタ。
【請求項１１】
前記シャッター部材の前記固定部は板状形状を有する、請求項１に記載の光ファイバーアダプタ。
【請求項１２】
前記シャッター部材は一体に形成されかつ金属製である、請求項１に記載の光ファイバーアダプタ。
【発明の詳細な説明】
【技術分野】
【０００１】
（関連出願への相互参照）
本出願は、２０１１年３月３０日出願の台湾特許出願番号１００１１０９２１号の優先権の利益を主張するものであり、当該出願に係る全ての開示は、本出願に引用して援用する。
【０００２】
本発明は、光ファイバーアダプタに関し、より詳細には、シャッター部材を有する光ファイバーアダプタに関する。
【背景技術】
【０００３】
近年、光ファイバーは、その高帯域幅と低損失の特徴により、信号伝達媒体として広範に用いられてきた。中継器を必要とすることなく、より長距離の伝達を行うために、光ファイバー内へのレーザ光線の発射に高出力ダイオードレーザを用いることは一般的である。しかしながら、情報を伝搬するために用いられる高出力レーザ光線は、通常不可視である。言い換えると、高出力レーザ光線がファイバーケーブルの開放端から出る場合に、人間の目はそれを感知することができない。それ故に、レーザ光線が光ファイバーから出る場合に目を傷つけるのを回避するために、高出力レーザ光線を遮断することが必要とされる。
【０００４】
図１を参照すると、従来のファイバーアダプタ１００は、複数の側壁１６０を有する筐体１１０を含む。側壁１６０は受入凹部１２０を画定する。側壁１６０のうちの一つは、コネクタ１９０が受入凹部１２０内に挿入された場合に、コネクタ１９０のキー１９２と結合するためのスロット１３０を備える。加えて、二つの正対する側壁１６０の外部表面は、アダプタ１００のパネルへの搭載を促進するためのクリップ（図示せず）がその上に配置されることが可能な凹部１４０を備える。
【０００５】
一般に、アダプタ１００は、別の受入凹部１２０を画定する側壁１６０の別の組を更に有する。二つの受入凹部１２０は正対しており、それぞれにコネクタ１９０を受け入れることができる。当然ながら、アダプタ１００の二つの受入凹部１２０は、二つの異なる型のコネクタと結合するように設計されることができる。ファイバーコネクタ１９０は、常にファイバーケーブル１９４の一つの端部に取り付けられ、光線はファイバーケーブル１９４を伝わることができ、コネクタ１９０のフェルール１９６から放出されることができる。同様に、光線はフェルール１９６の端面からファイバーケーブル内に連結されることができる。
【０００６】
アダプタ１００が二つのコネクタ１９０を相互に連結するために用いられる場合、二つのコネクタ１９０は受入凹部１２０内にそれぞれ挿入される。コネクタ１９０のフェルール１９６は、たとえば中空スリーブ（図示せず）内に滑動し、軸上に整列され、互いに接触する。光線は、コネクタ１９０のファイバーケーブル１９４から二つのフェルール１９６の間の境界面を通って伝わることができ、他のコネクタ１９０のファイバーケーブル１９４へと到達し、逆もまた同様である。
【０００７】
一つのコネクタ１９０がアダプタ１００から分離される場合、未だアダプタ１００内にあるコネクタ１９０から分離されたコネクタ１９０へと伝達されるはずだった光線は、フェルール１９６を出て、受入凹部１２０から放出される。放出された光線が高出力であり、遮断されない場合、そのような光線への継続的な曝露は人間、特に目に対して有害である。したがって、高出力の光線への曝露を回避するために、不使用の受入凹部１２０を塞ぐためのキャップ１８０を用いることが一般的である。これにより、光線を遮断することができ、受入凹部１２０への埃を防ぐこともできる。コネクタ１９０をアダプタ１００と結合させたい場合には、キャップ１８０を取り外す必要がある。しかしながら、キャップ１８０は紛失されがちであり、また、結合の間に目が光線に晒される可能性は依然として存在する。
【０００８】
図２を参照すると、従来のファイバーアダプタ２００はアダプタ１００とほぼ同様であるが、筐体１１０に回動可能に接続されたカバー２５０を更に含む。カバー２５０は、その閉位置において、受入凹部１２０を覆う。ばね２６０は、受入凹部１２０がコネクタ１９０と結合されていない場合に、カバー２５０をその閉位置へと回動させるように力を加える。したがって、カバー２５０は、その閉位置において、受入凹部１２０から放出される光線を遮断することが可能である。使用者がコネクタ１９０をアダプタ２００と結合させたい場合、はじめにカバー２５０をその閉位置から持ち上げ、次いで、コネクタ１９０を受入凹部１２０へと挿入する必要がある。コネクタ１９０を抜くとすぐに、ばね２６０によって、カバー２５０は受入凹部１２０を覆うために回動する。その結果、使用者が高出力の光線に晒される可能性はなくなる。しかしながら、アダプタ２００の構造はアダプタ１００の構造よりも遥かに複雑である。
【０００９】
図３を参照すると、ファイバーアダプタ１００のための従来の保護キャップ３００は、二つの向かい合った開口部を持った中空の筐体３１０と、筐体３１０に回動可能に接続されたカバー３５０とを含む。カバー３５０は、ばね３６０によって、二つの開口部のの一方を覆うために回動する。保護キャップ３００はアダプタ１００に装着することができ、アダプタ１００の側壁１６０の外部表面および受入凹部１２０を覆うことができる。使用者がコネクタ１９０をアダプタ２００と結合させたい場合、カバー３５０をその閉位置から持ち上げ、次いで、コネクタ１９０を受入凹部１２０へと挿入することが要求される。同様に、コネクタ１９０を抜くとすぐに、ばね３６０によって、カバー３５０は受入凹部１２０を覆うために回動する。その結果、使用者が受入凹部１２０から放出される高出力の光線に晒される可能性はなくなる。しかしながら、保護キャップ３００の構造は幾分複雑であり、そのため費用も安くはない。光線を遮断するための保護キャップ３００の導入は高コストとなる。
【００１０】
したがって、上述の問題点を解決する解決策の提供が求められている。
【発明の概要】
【発明が解決しようとする課題】
【００１１】
本開示は、収容室から放出される光線を遮断しうるものであって、それにより目が有害な光線に晒されることを防止する、光ファイバーアダプタのためのシャッター部材を提供する。
【課題を解決するための手段】
【００１２】
一つの実施形態において、本開示の光ファイバーアダプタは、本体と、二つの内部筐体と、カバープレートと、弾性のシャッター部材とを含む。本体は、第１の壁、第２の壁、第３の壁、および第４の壁によって画定される軸上の収容室を有し、第１の壁は第３の壁に面しており、第２の壁および第４の壁と接続している。収容室は、第１の開口部と、第１の開口部と向かい合う第２の開口部とを有する。第１の壁には、内部筐体を収容室内に設置するためのアクセス用開口部が備えられる。カバープレートは、第１の壁上のアクセス用開口部を覆うように配置される。シャッター部材は、固定部と、少なくとも一つの第１のフックと、シャッタープレートと、接続部とを含む。固定部は、カバープレート上、かつ収容室内に配置される。第１のフックは、固定部をカバープレート上に固定するため、固定部に備えられる。接続部は、固定部をシャッタープレートと接続する。シャッタープレートは、接続部から延在し、収容室内に配置される。
【発明の効果】
【００１３】
本開示における上述の特徴および利点、ならびに追加する対象は、添付の図面を参照しながら進められる以下の詳細な説明によって、より容易に明瞭なものとなるであろう。
【図面の簡単な説明】
【００１４】
【図１】従来の光ファイバーアダプタおよび従来のファイバーコネクタを示す上面斜視図である。
【図２】受入凹部から放出される光線を遮断するためのカバーを持つ、従来の光ファイバーアダプタの上面斜視図である。
【図３】光ファイバーアダプタのための従来の保護キャップの上面斜視図である。
【図４】本開示による光ファイバーアダプタの分解図である。
【図５】本開示による光ファイバーアダプタのシャッター部材の上面斜視図である。
【図６】本開示による光ファイバーアダプタの補助弾性板の上面斜視図である。
【図７】本開示による光ファイバーアダプタのカバープレートの上面斜視図である。
【図８】図５のシャッター部材および図６の補助弾性板が図７のカバープレートに取り付けられた様子を示す上面斜視図である。
【図９】本開示による光ファイバーアダプタの上面斜視図である。
【図１０】光ファイバーコネクタが本開示の光ファイバーアダプタと結合する様子を示す図である。
【図１１】光ファイバーコネクタが本開示の光ファイバーアダプタと結合する様子を示す図である。
【発明を実施するための形態】
【００１５】
図４を参照すると、本開示による光ファイバーアダプタ４００は、一体に形成された本体４１０と、一対の内部筐体４６０と、弾性シャッター部材４７０と、補助弾性板４８０と、可塑性のカバープレート４９０とを含む。本体４１０は、上部側壁４１１、底部側壁４１２、右側壁４１３、および左側壁４１４によって画定される、軸上の収容室４２０を有する。収容室４２０は向かい合う第１および第２の開口部４２２、４２４を有し、第１の開口部４２２は傾斜した開口部である。二つの伸長した突出部４２６が、それぞれ右および左側壁４１３、４１４の縁に、第１の開口部４２２に隣接して形成される。二つの突出部４２６は互いに平行であり、突出部４２６間の距離は、軸上収容室４２０の幅よりも小さい。
【００１６】
アクセス用開口部４５０は、上部側壁４１１上に設けられる。アクセス用開口部４５０は、内部筐体４６０が本体４１０の軸上収容室４２０内に配置されることを可能にする。それぞれの内部筐体４６０には、一般に長方形のフランジ４６２の一端から延在する、一対のフック４６４が備えられる。フランジ４６２は、二つのフック４６４の間に設けられた中空のシリンダー４６６を含む。
【００１７】
図５を参照すると、弾性のシャッター部材４７０は一体に形成されており、金属製である。シャッター部材４７０は、シャッタープレート４７２と、固定部４７４と、固定部４７４をシャッタープレート４７２に接続する接続部４７８とを含む。接続部４７８は、略Ｃ字型である。すなわち、接続部４７８は湾曲しており、ノッチ４７９を有する。シャッタープレート４７２および固定部４７４は両者共に板状の形状を有し、シャッタープレート４７２の幅は、軸上収容室４２０の幅よりも小さく、突出部４２６間の距離よりも大きい。シャッタープレート４７２は、固定部４７４に対して可動であり、これら二つの要素の間の角度は、９０°よりも小さい。シャッタープレート４７２は、押す力によって固定部４７４に接近するように動き、押す力が解除されると素早く元に戻る。二つのフック４７６が、固定部４７４の二つの対辺にそれぞれ備えられる。
【００１８】
図６を参照すると、補助弾性板４８０は一体に形成されており、金属製である。補助弾性板４８０は、支持部４８２と接続する固定部４８４を含む。支持部４８２は、固定部４８４に対して可動であり、これら二つの要素の間の角度は、９０°よりも大きい。二つのフック４８６が、固定部４８４の二つの対辺にそれぞれ備えられる。
【００１９】
図７を参照すると、二対の突出部４９２、４９４が、カバープレート４９０の表面４９８に備えられ、突出部４９２はカバープレート４９０の縁に隣接する。突出部４９２および４９４は、実質的に逆Ｌ字形状を有する。具体的には、各突出部４９２は、水平部４９２ａと接続する垂直部４９２ｂを含み、垂直部４９２ｂはカバープレート４９０の表面４９８上に固定され、そこから垂直に延在し、水平部４９２ａは垂直部４９２ｂの先端から水平に延在する。したがって、水平部４９２ａとカバープレート４９０の表面４９８の間には明確な間隙が形成される。同様に、各突出部４９４は、水平部４９４ａと接続する垂直部４９４ｂを含み、垂直部４９４ｂはカバープレート４９０の表面４９８上に固定され、そこから垂直に延在し、水平部４９４ａは垂直部４９４ｂの先端から水平に延在する。したがって、水平部４９４ａとカバープレート４９０の表面４９８の間には明確な間隙が形成される。
【００２０】
図８を参照すると、シャッター部材４７０および補助弾性板４８０をカバープレート４９０に取り付けるには、はじめに補助弾性板４８０の固定部４８４が突出部４９４の間に配置される。その後、固定部４８４が、カバープレート４９０の表面と平行に押し進められる。固定部４８４が動き続けると、補助弾性板４８０のフック４８６は、突出部４９４の水平部４９４ａによって押しつけられる。フック４８６が水平部４９４ａを通過した後、フック４８６は元の位置へと跳ね上がる。補助弾性板４８０に引っ張る力が働いた場合、固定部４８４がカバープレート４９０から引き出されることを防止するために、フック４８６が突出部４９４の水平部４９４ａと接触される。加えて、固定部４８４の縁は水平部４９４ａの下に配置される。これにより、固定部４８４がカバープレート４９０から引き戻されることを防止することが可能となる。
【００２１】
補助弾性板４８０がカバープレート４９０に取り付けられた後、次いで、シャッター部材４７０の固定部４７４が突出部４９２の間に配置される。その後、固定部４７４はカバープレート４９０の表面と平行に押し進められる。固定部４７４が動き続けるとき、シャッター部材４７０のフック４７６は、突出部４９２の水平部４９２ａによって押しつけられる。フック４７６が水平部４９２ａを通過した後、フック４７６は元の位置へと跳ね上がる。シャッター部材４７０に引っ張る力が働いた場合、固定部４７４がカバープレート４９０から引き出されることを防止するために、フック４７６が突出部４９２の水平部４９２ａと接触される。加えて、固定部４７４の縁は水平部４９２ａの下に配置される。これにより、固定部４７４がカバープレート４９０から引き戻されることを防止することが可能となる。シャッター部材４７０がカバープレート４９０上の所定の位置に配置されると、補助弾性板４８０の支持部４８２は、シャッター部材４７０のシャッタープレート４７２と接触する。
【００２２】
光ファイバーアダプタ４００を組み立てるには、内部筐体４６０は、アクセス用開口部４５０を通して軸上収容室４２０内に挿入される。その後、シャッター部材４７０および補助弾性板４８０を取り付けられたカバープレート４９０が、アクセス用開口部４５０を覆うように置かれ、超音波溶接によって本体４１０に接合される。
【００２３】
図９を参照すると、シャッター部材４７０が軸上収容室４２０内に配置された場合、シャッター部材４７０のシャッタープレート４７２が軸上収容室４２０の開口部４２２を覆う。こうして、中空シリンダー４６６から放出された光線は遮断され、それによって、使用者の目が有害な光線に晒されることを防止する。加えて、シャッタープレート４７２の幅が二つの突出部４２６間の距離よりも大きいことにより、シャッタープレート４７２の縁は突出部４２６と密着しうる。こうして、埃や夾雑物が軸上収容室４２０に侵入するのを防止するために、開口部４２２は閉鎖されうる。
【００２４】
図１０および図１１を参照すると、本開示の光ファイバーアダプタ４００によれば、光ファイバーコネクタ５００を本体４１０内に挿入する前に、本体４１０からシャッター部材４７０および補助弾性板４８０を取り外す必要はない。コネクタ５００が本体４１０内に挿入されるとき、コネクタ５００は、弾性シャッタープレート４７２および補助弾性板４８０を、コネクタ５００と本体４１０の底部側壁４１２との間の間隙へと押し下げる。コネクタ５００を抜くと、シリンダー４６６から放出される光線を遮断するために、弾性シャッタープレート４７２が、その弾性によって、元の位置へと素早く跳ね上がる。結果として、有害な光線への曝露の発生を回避することが可能となる。さらに、補助弾性板４８０もまた、コネクタ５００が抜かれたときに跳ね上がるため、補助弾性板４８０の支持部４８２が、シャッタープレート４７２の元の位置に向かってシャッタープレート４７２を押しうる。
【００２５】
本開示は、ＳＣ型の光ファイバーアダプタに関して詳細に説明してきたが、本開示の光ファイバーアダプタは他の型のアダプタを含みうることが理解されるであろう。加えて、本開示は単信のアダプタに関して説明してきたが、本開示のシャッター部材は複信または他の型のアダプタにおいても使用されうることが理解されるであろう。
【００２６】
本開示の好適な実施形態が例証を目的として開示されたが、添付の特許請求の範囲において開示された本開示の範囲および趣旨から逸脱することなく、種々の修正、付加、置換が可能であることが、当業者に理解されるであろう。
【図１】
0005404760.tif 000002
【図２】
0005404760.tif 000003
【図３】
0005404760.tif 000004
【図４】
0005404760.tif 000005
【図５】
0005404760.tif 000006
【図６】
0005404760.tif 000007
【図７】
0005404760.tif 000008
【図８】
0005404760.tif 000009
【図９】
0005404760.tif 000010
【図１０】
0005404760.tif 000011
【図１１】
0005404760.tif 000012